(57)【要約】      （修正有）【課題】無線起動機能付き発光装置を提供する。【解決手段】本考案は無線起動機能付き発光球体１を開示する。無線起動機能付き発光球体は、球体と、球体の内部に設けられる発光装置２０とを備える。発光装置は、発光ユニット、電源ユニット、無線受信ユニット、及びマスタユニットを含む。マスタユニットは、無線受信ユニットから受信された起動信号を受信した場合、発光ユニットと電源ユニットとの電気接続をオン状態にさせて、発光ユニットから球体を透過する光が出射するように、発光ユニット、電源ユニット、及び無線受信ユニットに電気的に接続される。【選択図】図２
0003224770.tif 000002
【実用新案登録請求の範囲】
【請求項１】
光透過球体である球体と、
光透過層であり、前記球体の表面を被覆し、少なくとも一つの縫目隙間及び前記少なくとも一つの縫目隙間の両側辺に位置する複数の縫目孔が形成される被覆層と、
発光ユニット、電源ユニット、無線受信ユニット、及び前記発光ユニット、前記電源ユニット、前記無線受信ユニットに電気的に接続されるマスタユニットを含み、前記球体の内部に設けられる発光装置と、
を備え、
前記マスタユニットは、前記無線受信ユニットから受信された起動信号を取得した場合、前記発光ユニットと前記電源ユニットとの電気接続をオン状態にさせることによって、前記発光ユニットからの光線が、前記球体を透過して、少なくとも一つの前記縫目隙間、複数の前記縫目孔及び前記被覆層から前記被覆層の外側に透過するように制御する、無線起動機能付き発光球体。
【請求項２】
前記マスタユニットは環状のマスタ回路基板を含み、
前記発光ユニットは複数の発光ダイオードを含み、
複数の前記発光ダイオードはそれぞれ前記マスタ回路基板の表裏面に設けられる、請求項１に記載の無線起動機能付き発光球体。
【請求項３】
前記電源ユニットは、電池ホルダ及び少なくとも一つの電池を備え、
前記電池ホルダは、ベース、二つの延伸ブラケット、第１の電気接触子及び第２の電気接触子を含み、
前記ベースが前記マスタ回路基板における貫通孔に進入され、
二つの前記延伸ブラケットが前記ベースから外へ延伸して前記マスタ回路基板に固定され、
前記少なくとも一つの電池が前記ベース中に収容され、
前記第１の電気接触子と前記第２の電気接触子はそれぞれ前記少なくとも一つの電池の負極と正極に弾性接触するためのものである、請求項２に記載の無線起動機能付き発光球体。
【請求項４】
前記第１の電気接触子は、
前記マスタ回路基板の表面に固定される第１の固着部と、
前記第１の固着部に接続され、前記ベースの頂部に跨って前記少なくとも一つの電池の負極に弾性接触する第１の弾性接触部と、
を有し、
前記第２の電気接触子は、
前記マスタ回路基板の裏面に固定される第２の固着部と、
前記第２の固着部に接続され、前記ベースの底部に跨って前記少なくとも一つの電池の正極に弾性接触する第２の弾性接触部と、
を有する、請求項３に記載の無線起動機能付き発光球体。
【請求項５】
前記無線受信ユニットは、前記マスタ回路基板に電気的に接続される赤外線受信管を備え、
前記赤外線受信管は、リモコン又はモバイルからの赤外線信号である前記起動信号を受信するためのものである、請求項２に記載の無線起動機能付き発光球体。
【請求項６】
前記球体には、前記赤外線受信管の位置に対応する受光スルーホールが開口される、請求項５に記載の無線起動機能付き発光球体。
【請求項７】
引手部と前記引手部から延伸形成される挿入部とを有する着脱可能な引手部材を更に備え、
前記引手部は前記球体から露出し、
前記挿入部が前記受光スルーホールに挿入される、請求項６に記載の無線起動機能付き発光球体。
【請求項８】
前記無線受信ユニットは、前記マスタ回路基板に電気的に接続されるＲＦＩＤ受信器を備え、
前記ＲＦＩＤ受信器は、対応の能動型ＲＦＩＤタグからの認識信号である前記起動信号を受信するためのものである、請求項２に記載の無線起動機能付き発光球体。
【請求項９】
前記無線受信ユニットに電気的に接続される振動スイッチを更に備え、
前記振動スイッチは、前記球体が振動される場合、前記無線受信ユニットを起動させ、前記球体が振動を停止した後の所定の時点で、前記無線受信ユニットをオフさせるようにする、請求項１に記載の無線起動機能付き発光球体。
【請求項１０】
前記球体の内部には、互いに接続される複数の縦板と横板を有する圧力分散構成が設けられ、
前記縦板と前記横板は、高強度且つ高硬度の材料で作成され、硬度が３０~８０度である、請求項１に記載の無線起動機能付き発光球体。
【請求項１１】
前記球体の内部には、ハニカム状の圧力分散構成が設けられる、請求項１に記載の無線起動機能付き発光球体。
【請求項１２】
前記球体は弾性材料で作成されたものである、請求項１に記載の無線起動機能付き発光球体。
【請求項１３】
複数の前記縦板と複数の前記横板の各々には、導光粉が均一に分布される、請求項１０に記載の無線起動機能付き発光球体。
【請求項１４】
前記球体の表面には、透明防水保護層が形成される、請求項１に記載の無線起動機能付き発光球体。
【考案の詳細な説明】
【技術分野】
【０００１】
本考案は発光球体に関し、特に無線起動機能付き発光球体に関する。
【背景技術】
【０００２】
夜又は光線不足のような環境で野球運動やソフトボール運動を展開するために、光線不足の環境で利用するための球体発光可能な球技商品が市販されている。しかしながら、これらの球技商品は、電池の交換のために、球体自身の構成を大幅に変更しなければならない。例えば、電池を交換するために、電池の出入りを可能にする一つの開口がスキンに予め設けられておくことで、球自身の特性と仕様が変化され、従来の野球又はソフトボールに比べるとその外観及び手感が大きく異なる。また、このような球技商品は、無線起動の機能も持っていない。
【０００３】
このような事情に鑑み、本考案の創造者は、数年で関連商品の開発と設計に携わってきて、上記の欠点を改善することが必要であると思うため、科学理論に基づいて鋭意研究した結果、設計が合理的で上記欠点を効果的に改善できる本考案を提供する。
【考案の概要】
【考案が解決しようとする課題】
【０００４】
上記問題を解決するために、本考案の主要な目的は、無線起動機能付き発光装置を提供することにある。
【課題を解決するための手段】
【０００５】
本考案には、光透過球体である球体と、光透過層であり、上記球体の表面を被覆し、少なくとも一つの縫目隙間及び上記少なくとも一つの縫目隙間の両側辺に位置する複数の縫目孔が形成される被覆層と、発光ユニット、電源ユニット、無線受信ユニット、及び上記発光ユニット、上記電源ユニット、及び上記無線受信ユニットに電気的に接続されるマスタユニットを含み、上記球体の内部に設けられる発光装置と、を備え、上記マスタユニットは、上記無線受信ユニットから受信された起動信号を取得した場合、上記発光ユニットと上記電源ユニットとの間の電気的接続をオン状態にさせることによって、上記発光ユニットからの光線が、上記球体を透過して、少なくとも一つの上記縫目隙間、複数の上記縫目孔及び上記被覆層から上記被覆層の外側に透過するように制御する、無線起動機能付き発光球体が開示される。
【０００６】
本考案に係る一態様において、上記マスタユニットは環状のマスタ回路基板を含み、上記発光ユニットは複数の発光ダイオードを含み、複数の上記発光ダイオードはそれぞれ上記マスタ回路基板の表裏面に設けられる。
【０００７】
本考案に係る一態様において、上記電源ユニットは、電池ホルダ及び少なくとも一つの電池を備え、上記電池ホルダがベース、二つの延伸ブラケット、第１の電気接触子及び第２の電気接触子を含み、上記ベースが上記マスタ回路基板における貫通孔に進入され、二つの上記延伸ブラケットが上記ベースから外へ延伸して上記マスタ回路基板に固定され、上記少なくとも一つの電池が上記ベース中に収容され、上記第１の電気接触子と上記第２の電気接触子はそれぞれ上記少なくとも一つの電池の負極と正極に弾性接触するためのものである。
【０００８】
本考案に係る一態様において、上記第１の電気接触子は、上記マスタ回路基板の表面に固定される第１の固着部と、上記第１の固着部に接続され、上記ベースの頂部に跨って上記少なくとも一つの電池の負極に弾性接触する第１の弾性接触部とを有し、上記第２の電気接触子は、上記マスタ回路基板の裏面に固定される第２の固着部と、上記第２の固着部に接続され、横跨上記ベースの底部に跨って上記少なくとも一つの電池の正極に弾性接触する第２の弾性接触部とを有する。
【０００９】
本考案に係る一態様において、上記無線受信ユニットは、上記マスタ回路基板に電気的に接続される赤外線受信管を備え、上記赤外線受信管は、リモコン又はモバイルからの赤外線信号である上記起動信号を受信するためのものである。
【００１０】
本考案に係る一態様において、上記球体には、上記赤外線受信管の位置に対応する受光スルーホールが開口される。
【００１１】
本考案に係る一態様において、無線起動機能付き発光球体は、引手部と上記引手部から延伸形成される挿入部とを有する着脱可能な引手部材を更に備え、上記引手部が上記球体から露出し、上記挿入部が上記受光スルーホールに挿入される。
【００１２】
本考案に係る一態様において、上記無線受信ユニットは、上記マスタ回路基板に電気的に接続されるＲＦＩＤ受信器を備え、上記ＲＦＩＤ受信器は、対応の能動型ＲＦＩＤタグからの認識信号である上記起動信号を受信するためのものである。
【００１３】
本考案に係る一態様において、無線起動機能付き発光球体は、上記無線受信ユニットに電気的に接続される振動スイッチを更に備え、上記振動スイッチは、上記球体が振動される場合、上記無線受信ユニットを起動させ、上記球体が振動を停止した後の所定の時点で、上記無線受信ユニットをオフさせるようにする。
【００１４】
本考案に係る一態様において、上記球体の内部には、互いに接続される複数の縦板と横板を有する圧力分散構成が設けられ、上記縦板と上記横板は、高強度且つ高硬度の材料で作成され、硬度（Ｓｈｏｒｅ  Ｄ）が３０~８０度である。
【００１５】
本考案に係る一態様において、上記球体の内部には、ハニカム状の圧力分散構成が設けられる。
【００１６】
本考案に係る一態様において、上記球体は弾性材料で作成されたものである。
【００１７】
本考案に係る一態様において、複数の上記縦板と複数の上記横板の各々には、導光粉が均一に分布される。
【００１８】
本考案に係る一態様において、上記球体の表面に透明防水保護層が被覆される。
【００１９】
上記説明によると、本考案の優れた効果は、少なくとも、本考案において、発光球体の内部に無線受信ユニットを有するため、対応のリモコンにより発光球体を無線起動して制御することができる。また、発光球体を使用しない場合、対応のリモコンにより発光球体を無線オフさせることによって、電池の使用時間を延ばすことができる。
【００２０】
本考案の特徴及び技術内容を更に理解したい場合、以下の本考案に関する詳細と図面を参照されたいが、添付図面は、参照と説明用のものにすぎず、本考案を制限しない。
【図面の簡単な説明】
【００２１】
【図１】本考案に係る第１の実施例の斜視組立図である。
【図２】本考案に係る第１の実施例の斜視部分分解図である。
【図３】本考案に係る第１の実施例に使用される発光裝置の第１の斜視図である。
【図４】本考案に係る第１の実施例に使用される発光裝置の第２の斜視図である。
【図５】本考案に係る第１の実施例に使用される発光裝置の斜視部分分解図である。
【図６】図２でのＶＩ部分の拡大図である。
【図７】図２でのＶＩＩ部分の拡大図である。
【図８】本考案に係る第２の実施例の部分平面図である。
【図９】本考案に係る第３の実施例の部分平面図である。
【図１０】本考案に係る第４の実施例の部分平面図である。
【図１１】本考案に係る第５の実施例の部分平面図である。
【図１２】本考案に係る第６の実施例の斜視組立図である。
【図１３】本考案に係る第７の実施例の部分平面図である。
【考案を実施するための形態】
【００２２】
以下、特定の具体的な実例において、本考案に開示される「無線起動機能付き発光装置」に関する実施態様を説明し、当業者が本明細書での掲示内容により本考案の利点と効果を容易に理解することができる。本考案は、他の異なる具体的な実施例により実施又は適用され、本明細書での各詳細も、異なる観点と適用に基づいて、本考案の要旨を逸脱しない限り様々な修飾と変更を行ってもよい。なお、本考案の図面は、模式的に示すものだけであり、実際のサイズで図示されない。
【００２３】
［第１の実施例］
図１〜図７を参照すると、本考案は、主に、球体１０と、球体１０の内部に設けられる発光裝置２０とを備える無線起動機能付き発光装置１（以下、単に発光球体１と呼ぶ）を提供する。
【００２４】
球体１０は、透明な弾性材料で作成されてもよいが、これに限定されない。本考案に係る発光球体１に従来の硬式野球又はソフトボールと類似の手感及び打球感を維持させるために、球体１０は、従来の硬式野球又はソフトボールの球体と類似の径に設計される。球体１０の材質の選択に応じて、球体１０は従来の硬式野球又はソフトボールの内球体と類似の重量及び弾性係数を有するようになる。なお、球体１０は、安全球のように、軟性材料で作成されてもよい。また、球体１０も、高光透過性且つ熱可塑性のポリウレタン弾性体ゴム（Ｔｈｅｒｍｏｐｌａｓｔｉｃ  ｐｏｌｙｕｒｅｔｈａｎｅｓ，ＴＰＵ）で作成されてもよい。本実施例における球体１０は、互いに組み込まれる第１の半球体１１と第２の半球体１２を備える。また、第１の半球体１１と第２の半球体１２とがホットメルトで一体に接合される。
【００２５】
発光裝置２０は、発光ユニット２１、電源ユニット２２、無線受信ユニット２３、マスタユニット２４を備える。マスタユニット２４が、発光ユニット２１、電源ユニット２２、及び無線受信ユニット２３に電気的に接続される。
【００２６】
本実施例において、マスタユニット２４は、一つ又は複数のマイクロプロセッサ（ＭＣＵ）が設けられる環状のマスタ回路基板２４１を含むようにしてもよい。発光ユニット２１は、同時に上と下へ発光して、照明が均一になるように、それぞれマスタ回路基板２４１の表裏面に設けられる複数の発光ダイオードＤを含むようにしてもよい。
【００２７】
電源ユニット２２と発光ユニット２１との間の電気接続は、電源ユニット２２が電力を発光ユニット２１に提供するように、選択的にオン状態になることができる。本実施例において、電源ユニット２２は、電池ホルダＨと、少なくとも一つの電池ホルダＨに設けられる電池Ｂとを含むようにしてもよい。具体的には、電池ホルダＨは、ベース２２１、二つの延伸ブラケット２２２、第１の電気接触子２２３及び第２の電気接触子２２４を有する。ベース２２１がマスタ回路基板２４１の貫通孔２４２に進入される。二つの延伸ブラケット２２２がベース２２１から外へ延伸してマスタ回路基板２４１に固定される。少なくとも一つの電池Ｂがベース２２１中に収容される。第１の電気接触子２２３と第２の電気接触子２２４はそれぞれ少なくとも一つの電池Ｂの負極と正極に弾性接触するためのものである。第１の電気接触子２２３は、ねじによりマスタ回路基板２４１の表面に固定される第１の固着部２２３１と、第１の固着部２２３１に接続され、ベース２２１の頂部に跨って少なくとも一つの電池Ｂの負極に弾性接触する第１の弾性接触部２２３２とを有する。第２の電気接触子２２４は、ねじによりマスタ回路基板２４１の裏面に固定される第２の固着部２２４１と、第２の固着部２２４１に接続され、ベース２２１の底部に跨って少なくとも一つの電池Ｂの正極に弾性接触する第２の弾性接触部２２４２とを有する。第１の弾性接触部２２３２がＶ形の部分を有し、第２の弾性接触部２２４２が逆Ｖ形の部分を有することにより、第１の弾性接触部２２３２と第２の弾性接触部２２４２は、それぞれ少なくとも一つの電池Ｂの負極と正極により良く弾性接触することができる。本実施例において、電池Ｂの仕様や数は制限されない。電池Ｂは、例えばボタン電池（ＬＲ５０  Ｂｕｔｔｏｎ  Ｃｅｌｌ）であることが好ましい。
【００２８】
無線受信ユニット２３は、マスタ回路基板２４１に直接設けられてもよく、ワイヤによりマスタ回路基板２４１に電気的に接続されてもよいが、本実施例に制限されない。本実施例において、無線受信ユニット２３は、起動信号を受信するためのものであってもよく、マスタ回路基板２４１に電気的に接続される赤外線受信管２３１を含む赤外線受信器であってもよい。また、上記起動信号は、赤外線エミッタを有するリモコン又はモバイルからの赤外線信号であってもよい。また、他の干渉信号の入力を回避するために、本実施例に係る球体１０には赤外線受信管２３１の位置に対応する受光スルーホール１０１が開口されることにより、赤外線エミッタを有するリモコン又はモバイルが受光スルーホール１０１に合わせて起動信号を出射しなければならないため、他の干渉信号の入力による誤動作を回避することができる。
【００２９】
また、無線受信ユニット２３は、起動信号を受信すると、すぐにマスタユニット２４に伝送するようになる。マスタユニット２４は、無線受信ユニット２３から受信される起動信号を取得した場合、発光ユニット２１と電源ユニット２２との間の電気接続をオン状態にさせて、発光ユニット２１から球体１０を透過する光線が出射するように制御する。
【００３０】
なお、無線受信ユニット２３は、制御信号を受信するようにしてもよい。無線受信ユニット２３は、制御信号を受信すると、すぐにマスタユニット２４に伝送するようになる。マスタユニット２４は、無線受信ユニット２３から受信される制御信号を取得した場合、発光ユニット２１からの色又は輝度を制御する。
【００３１】
本実施例における球体１０の内部には、球体１０の衝撃に対する能力を強化するための圧力分散構成１０２が更に設けられてもよい。具体的に言えば、圧力分散構成１０２は、互いに接続される複数の縦板１０２１と複数の横板１０２２を備える。これにより、球体１０の周囲に衝撃される衝撃力を分散させる。互いに接続される複数の縦板１０２１と複数の横板１０２２は、高強度且つ高硬度の材料で作成されてもよい。即ち、球体１０の外部に弾性を有し、球体１０の内部に高強度且つ高硬度を有する。ただし、これらの縦板１０２１とこれらの横板１０２２は、硬度が３０~８０度である。なお、発光裝置２０は、球体１０の内部の中心位置にあり、圧力分散構成１０２により発光裝置２０の衝撃に対する能力が強化される。圧力分散構成１０２における縦板１０２１と横板１０２２は、球体１０の重量と弾性を従来の硬式野球又はソフトボールと類似の状態に維持するように、球体１０の重量と弾性を調整することもできる。なお、圧力分散構成１０２における縦板１０２１と横板１０２２の各々は、導光粉１０２３が均一に分布されることによって（図６、７に示す）、縦板１０２１と横板１０２２から透過する光線が柔らかく且つ均一に分布される。また、その中の一つの発光ダイオードＤが壊れる場合、他の発光ダイオードＤが縦板１０２１と横板１０２２のガイドにより、壊れた発光ダイオードＤに対応する球面が全く暗いことはない。また、マスタ回路基板２４１は、ある発光ダイオードＤが壊れた場合、他の発光ダイオードＤが明るいようにするバックアップ給電モードを有する。また、マスタ回路基板２４１は、マスタ回路基板２４１の衝撃に対する能力を強化する複層の板で構成される。
【００３２】
［第２の実施例］
図８は本考案に係る第２の実施例を示す。第２の実施例において、発光球体は、着脱可能な引手部材３０を更に有する。また、着脱可能な引手部材３０は、引手部３１と引手部３１から延伸して形成される挿入部３２とを含み、引手部３１が球体１０から露出し、挿入部３２が受光スルーホール１０１に挿入される。これにより、リモコン又はモバイルを受光スルーホール１０１に合わせて、起動信号を赤外線受信管２３１に出射し、発光球体を起動するには、発光球体を使用する前に、着脱可能な引手部材３０を取り除かなければならない。
【００３３】
［第３の実施例］
図９は本考案に係る第３の実施例を示す。第３の実施例において、無線受信ユニット２３は、マスタユニット２４に電気的に接続されるＲＦＩＤ受信器２３２を有してもよい。そこで、対応の能動型ＲＦＩＤタグを持つユーザーが、発光球体に近づく場合、ＲＦＩＤ受信器２３２が能動型ＲＦＩＤタグからの識別信号を起動信号として受信することができる。
【００３４】
また、無線受信ユニット２３が起動信号を受信すると、すぐにマスタユニット２４に伝送するようになる。マスタユニット２４は、無線受信ユニット２３から受信される起動信号を取得した場合、発光ユニット２１と電源ユニット２２との間の電気接続をオン状態にさせて、発光ユニット２１から球体１０を透過する光線が出射するように制御する。
【００３５】
［第４の実施例］
図１０は本考案に係る第４の実施例を示す。第４の実施例において、球体１０の外部には、防水ゴムフィルムのような透明防水保護層４０が更に形成される。これにより、強度だけでなく、防水性も向上される。
【００３６】
［第５の実施例］
図１１は本考案に係る第５の実施例を示す。第５の実施例において、発光球体は振動スイッチ５０を更に備える。振動スイッチ５０は、無線受信ユニット２３に電気的に接続され、球体１０が振動される場合、無線受信ユニット２３を起動させ、球体１０が振動を停止した後の所定の時点で、無線受信ユニット２３をオフさせるようにする。これにより、無線受信ユニット２３に対する他の信号の干渉を回避することだけでなく、節電も達成される。
【００３７】
［第６の実施例］
図１２は本考案に係る第６の実施例を示す。第６の実施例において、発光球体は、野球やソフトボールのスキンのような被覆層６０を更に備える。また、被覆層６０は、光を部分透過又は全体透過させる光透過層である。被覆層６０は、図１に示す球体１０の表面に被覆されることで図１２に示す状態に形成されるようにしてもよい。また、被覆層６０には、少なくとも一つの縫目の隙間６１と、縫目の隙間６１の両側辺に位置する複数の縫目孔６２が形成される。これにより、光線が縫目の隙間６１、縫目孔６２、又は被覆層６０から露出することができるため、本考案に係る発光球体１の表面は、縫目の隙間６１、縫目孔６２、又は被覆層６０から光が透過して、ユーザーが光線不足又は夜の環境でも発光球体１の表面から透過される光線により、発光球体１の飛行又は移動の経路をはっきり発見することに寄与する。
【００３８】
［第７の実施例］
図１３は本考案に係る第７の実施例を示す。第７の実施例において、球体１０の内部には、ハニカム状の圧力分散構成１０２が設けられる。即ち、圧力分散構成１０２は、ハニカム状に配列された複数のプレートを含む。これにより、球体１０の衝撃に対する能力を更に強化する。
【００３９】
〔本考案の優れた効果〕
要するに、本考案の優れた効果は、少なくとも、本考案に係る発光球体の内部に無線受信ユニットを有するため、対応のリモコンにより発光球体を無線起動して制御することができることにある。また、発光球体を使用しない場合、対応のリモコンが無線で発光球体をオフさせることによって、電池の使用時間を延ばすことができる。
【００４０】
上記説明は、本考案に係る実施可能の好適な実施例に過ぎず、本考案の実用新案登録請求の範囲を制限しない。本考案の明細書及び図面内容に基づく等価の技術変更のいずれも、本考案の保護範囲内のものである。
【符号の説明】
【００４１】
１        無線起動機能付き発光球体
１０      球体
１０１    受光スルーホール
１０２    圧力分散構成
１０２１  縦板
１０２２  横板
１０２３  導光粉
１１      第１の半球体
１２      第２の半球体
２０      発光装置
２１      発光ユニット
２２      電源ユニット
２２１    ベース
２２２    延伸ブラケット
２２３    第１の電気接触子
２２３１  第１の固着部
２２３２  第１の弾性接触部
２２４    第２の電気接触子
２２４１  第２の固着部
２２４２  第２の弾性接触部
２３      無線受信ユニット
２３１    赤外線受信管
２３２    ＲＦＩＤ受信器
２４      マスタユニット
２４１    マスタ回路基板
２４２    貫通孔
３０      引手部材
３１      引手部
３２      挿入部
４０      透明防水保護層
５０      振動スイッチ
６０      被覆層
６１      縫目隙間
６２      縫目孔
Ｂ        電池
Ｄ        発光ダイオード
Ｈ        電池ホルダ
【図１】
0003224770.tif 000003
【図２】
0003224770.tif 000004
【図３】
0003224770.tif 000005
【図４】
0003224770.tif 000006
【図５】
0003224770.tif 000007
【図６】
0003224770.tif 000008
【図７】
0003224770.tif 000009
【図８】
0003224770.tif 000010
【図９】
0003224770.tif 000011
【図１０】
0003224770.tif 000012
【図１１】
0003224770.tif 000013
【図１２】
0003224770.tif 000014
【図１３】
0003224770.tif 000015